(57)【要約】【課題】棚へのアタッチメントの後付けを容易迅速に行えるとともに、取付位置も比較的制限されることのない棚用アタッチメントを提供するものである。【解決手段】  前端に位置する支持部材６に前後方向から挟み込んで挟持保持する保持部８Ａ，８Ｂを上部にそれぞれ備えた前後一対の挟持片３Ａ，３Ｂを備えたクリップ３からなり、そのクリップ３の下部に他のアタッチメント１を連結するための連結部１０を備えるとともに、前記支持部材６に挟持保持させたときのクリップ３の上端に特定の線材４の入り込みを許容するための上下方向の切欠き１１を備え、前記両挟持片３Ａ，３Ｂの保持部８Ａ，８Ｂにて保持された支持部材の中心がいずれか一方の挟持片側に位置するように該２つの保持部８Ａ，８Ｂを備えさせた。【選択図】図４
2008173165.tif 000002
【特許請求の範囲】
【請求項１】
前後方向に延びる線材の多数を左右方向に間隔を置いて配置して構成される物品載置部と、これら多数の線材の少なくとも前端に配置されて該線材を左右方向で連結する左右方向に延びる支持部材とを備えた棚において、
前記前端に位置する支持部材に前後方向から挟み込んで挟持保持する保持部を上部にそれぞれ備えた前後一対の挟持片を備えたクリップからなり、そのクリップの下部に他のアタッチメントを連結するための連結部を備えるとともに、前記支持部材に挟持保持させたときのクリップの上端に前記特定の線材の入り込みを許容するための上下方向の切欠きを備え、前記両挟持片の保持部に保持された支持部材の中心がいずれか一方の挟持片側に位置するように該前後一対の保持部を構成したことを特徴とする棚用アタッチメント。
【請求項２】
前記支持部材の下方箇所に該支持部材に上下方向で連結され、左右方向に延びる補強部材を備え、前記前後一対の挟持片にそれぞれ備えさせた保持部の下方に前記補強部材を挟持保持するための前後一対の補強部材用保持部を備え、該両挟持片の補強部材用保持部にて保持された補強部材の中心がいずれか一方の挟持片側に位置するように該前後一対の補強部材用保持部を構成したことを特徴とする請求項１記載の棚用アタッチメント。
【請求項３】
前記前後一対の挟持片のうちのいずれか一方を他方に比べて前後方向の寸法を大きく設定し、その大きく設定された挟持片側に前記支持部材の中心が位置するように前記前後一対の保持部を備えさせたことを特徴とする請求項１記載の棚用アタッチメント。
【請求項４】
前記前後一対の挟持片のうちのいずれか一方を他方に比べて前後方向の寸法を大きく設定し、その大きく設定された挟持片側に前記補強部材の中心が位置するように前記前後一対の補強部材用保持部を備えさせたことを特徴とする請求項２記載の棚用アタッチメント。
【請求項５】
前記連結部が、前記クリップの下部に形成した前後方向に貫通する貫通孔である請求項１記載の棚用アタッチメント。
【請求項６】
前記補強部材用保持部及び保持部の上下に、これらとは寸法の異なる第２の補強部材用保持部及び第２の保持部を連続して備えさせたことを特徴とする請求項２記載の棚用アタッチメント。
【請求項７】
前記前後一対の挟持片にて前記補強部材及び支持部材を挟持保持した状態で、該両挟持片を係止固定するべく、一方の挟持片に備えた被係止部と、他方の挟持片に備え、該被係止部に係止可能な係止部とからなる係止機構を備えさせたことを特徴とする請求項２記載の棚用アタッチメント。
【請求項８】
前記係止機構を、上下に位置する前記保持部と補強部材用保持部との間に備え、前記切欠きをクリップの上端から該補強部材用保持部までの間に備えさせることにより、該切欠きを挟んでクリップの上部を左右方向で分離された２つの左右部分を構成し、これら左右部分を接近する側へ移動させることにより、前記係止機構を係止解除可能に構成したことを特徴とする請求項７記載の棚用アタッチメント。
【請求項９】
前記係止機構を、前後一対の挟持片のうちの一方に備えさせた被係止部と、この被係止部に左右方向から係止可能となる他方の挟持片に備えさせた係止部とからなり、前後一対の挟持片を左右方向において位置ずれした状態で重ね合わせてから、両挟持片が合致する左右一方向に一方の挟持片を移動させることにより被係止部に係止部を係止可能に構成したことを特徴とする請求項７記載の棚用アタッチメント。
【請求項１０】
前記前後一対の挟持片の下端に、左右方向に貫通する貫通孔を備えさせてなる請求項２記載の棚用アタッチメント。
【請求項１１】
前記支持部材及び補強部材の左右方向両端が、クローゼットの左右の壁にそれぞれ貫通固定されている請求項２記載の棚用アタッチメント。
【請求項１２】
前記前後一対の挟持片の下端に、該両挟持片を連結するための連結部を備えている請求項２記載の棚用アタッチメント。
【請求項１３】
前記他のアタッチメントの上端に、前記クリップを備えたものから構成してなる請求項１記載の棚用アタッチメント。
【発明の詳細な説明】
【技術分野】
【０００１】
本発明は、例えばクローゼット等の収納部の棚を利用して、別の棚を増設する、又、ハンガー吊下用の棒状部材（パイプ）を棚に支持させる等の目的で使用する付属品として用いられる棚用アタッチメントに関する。
【背景技術】
【０００２】
クローゼットやラック等の収納体に備えている棚に棚用アタッチメントを用いて、後付けで別の棚やハンガー吊下用の棒状部材等を増設したい場合がある。そこで、例えばメタルラックの棚にカーテンレールを取り付ける構成が既に提案されている。この構成は、上下に複数の棚を４本の支柱にて支持させたメタルラックからなり、前記各棚が、左右方向に長い第１の線材の多数と、これらに対して直交する方向に延びる第２の線材とからなる長方形状に構成され、これらの棚の４つの角部に備えさせた円筒状のテーパースリーブに、上下方向に長い支柱を差し込むことにより構成されている。そして、前記テーパースリーブと支柱との間に上細りの２分割のテーパーコーンを位置させるように、該テーパーコーンを支柱に外嵌させてからテーパースリーブをテーパーコーンに外嵌し、テーパーコーンに形成された溝にカーテンレールを連結するためのアタッチメントを係止固定している（例えば、特許文献１参照）。
【特許文献１】特開２００３−６１７６０号公報
【発明の開示】
【発明が解決しようとする課題】
【０００３】
上記特許文献１の構成では、４つの角部に備えさせた円筒状のテーパースリーブから各支柱を抜き取ってから、２分割のテーパーコーンを支柱に外嵌させてからテーパースリーブを再度テーパーコーンに外嵌しなければならないことから、アタッチメントを迅速に後付けすることができず、アタッチメントを取り付ける作業が手間のかかる煩わしい作業になっていた。
又、テーパースリーブを取り付ける位置も４つの角部でしか取り付けることができないだけでなく、テーパースリーブを備えた構成でなければ、アタッチメントを取り付けることができないものであり、使用面において大きな制限を受けるものであり、改善の余地があった。
【０００４】
本発明が前述の状況に鑑み、解決しようとするところは、棚へのアタッチメントの後付けを容易迅速に行えるとともに、取付位置も比較的制限されることのない棚用アタッチメントを提供するものである。
【課題を解決するための手段】
【０００５】
本発明の棚用アタッチメントは、前述の課題解決のために、前後方向に延びる線材の多数を左右方向に間隔を置いて配置して構成される物品載置部と、これら多数の線材の少なくとも前端に配置されて該線材を左右方向で連結する左右方向に延びる支持部材とを備えた棚において、前記前端に位置する支持部材に前後方向から挟み込んで挟持保持する保持部を上部にそれぞれ備えた前後一対の挟持片を備えたクリップからなり、そのクリップの下部に他のアタッチメントを連結するための連結部を備えるとともに、前記支持部材に挟持保持させたときのクリップの上端に前記特定の線材の入り込みを許容するための上下方向の切欠きを備え、前記両挟持片の保持部に保持された支持部材の中心がいずれか一方の挟持片側に位置するように該前後一対の保持部を構成したことを特徴としている。
前後一対の挟持片にて支持部材を挟持させるだけで、アタッチメントの装着が完了し、クリップの連結部に他のアタッチメントを直ちに連結することができるのである。そして、このとき、クリップの上端に備えた切欠きに特定の線材が入り込むことによって、左右方向でのクリップの移動を阻止することができる。しかも、両挟持片の保持部にて保持された支持部材の中心がいずれか一方の挟持片側に位置するように該２つの保持部を備えさせることによって、支持部材からの下向きの荷重が両挟持片の分割部に加わり難くなるから、両挟持片が支持部材からの下向きの荷重により離れる側に操作されることを回避することができる。
【０００６】
前記支持部材の下方箇所に該支持部材に上下方向で連結され、左右方向に延びる補強部材を備え、前記前後一対の挟持片にそれぞれ備えさせた保持部の下方に前記補強部材を挟持保持するための前後一対の補強部材用保持部を備え、該両挟持片の補強部材用保持部にて保持された補強部材の中心がいずれか一方の挟持片側に位置するように該前後一対の補強部材用保持部を構成してもよい。
【０００７】
前記前後一対の挟持片のうちのいずれか一方を他方に比べて前後方向の寸法を大きく設定し、その大きく設定された挟持片側に前記支持部材の中心が位置するように前記前後一対の保持部を備えさせてもよい。
【０００８】
前記前後一対の挟持片のうちのいずれか一方を他方に比べて前後方向の寸法を大きく設定し、その大きく設定された挟持片側に前記補強部材の中心が位置するように前記前後一対の補強部材用保持部を備えさせてもよい。
【０００９】
前記連結部が、前記クリップの下部に形成した前後方向に貫通する貫通孔であってもよい。
【００１０】
前記補強部材用保持部及び保持部の上下に、これらとは寸法の異なる第２の補強部材用保持部及び第２の保持部を連続して備えさせてもよい。
【００１１】
前記前後一対の挟持片にて前記補強部材及び支持部材を挟持保持した状態で、該両挟持片を係止固定するべく、一方の挟持片に備えた被係止部と、他方の挟持片に備え、該被係止部に係止可能な係止部とからなる係止機構を備えさせてもよい。
【００１２】
前記係止機構を、上下に位置する前記保持部と補強部材用保持部との間に備え、前記切欠きをクリップの上端から該補強部材用保持部までの間に備えさせることにより、該切欠きを挟んでクリップの上部を左右方向で分離された２つの左右部分を構成し、これら左右部分を接近する側へ移動させることにより、前記係止機構を係止解除可能に構成してもよい。
【００１３】
前記係止機構を、前後一対の挟持片のうちの一方に備えさせた被係止部と、この被係止部に左右方向から係止可能となる他方の挟持片に備えさせた係止部とからなり、前後一対の挟持片を左右方向において位置ずれした状態で重ね合わせてから、両挟持片が合致する左右一方向に一方の挟持片を移動させることにより被係止部に係止部を係止可能に構成してもよい。
【００１４】
前記前後一対の挟持片の下端に、左右方向に貫通する貫通孔を備えさせてもよい。
【００１５】
前記支持部材及び補強部材の左右方向両端が、クローゼットの左右の壁にそれぞれ貫通固定されていてもよい。
【００１６】
前記前後一対の挟持片の下端に、該両挟持片を連結するための連結部を備えてもよい。
【００１７】
前記他のアタッチメントの上端に、前記クリップを備えたものから構成してもよい。
【発明の効果】
【００１８】
前後一対の挟持片にて支持部材を挟持させるだけで、アタッチメントの装着が完了し、クリップの連結部に他のアタッチメントを直ちに連結することができるから、従来のような取付位置の大きな制限を受けることや、後付けが困難になることがない。従って、棚へのアタッチメントの後付けを容易迅速に行えるとともに、取付位置も比較的制限されることのない棚用アタッチメントを提供することができる。又、クリップの上端に備えた切欠きに特定の線材が入り込むことによって、左右方向でのクリップの移動を阻止することができ、特別な固定手段を不要にすることができる利点がある。しかも、両挟持片の保持部にて保持された支持部材の中心がいずれか一方の挟持片側に位置するように該２つの保持部を備えさせることによって、支持部材からの下向きの荷重が両挟持片の分割部に加わり難くなるから、両挟持片が支持部材からの下向きの荷重により離れる側に操作されることを回避することができ、両挟持片が不測に離間操作されるといったトラブルのない信頼性の高いものにすることができる。
【００１９】
前記支持部材の下方箇所に該支持部材に上下方向で連結され、左右方向に延びる補強部材を備え、前記前後一対の挟持片にて構成される保持部の下方に前記補強部材を挟持保持するための補強部材用保持部を備え、該両挟持片の補強部材用保持部にて保持された補強部材の中心がいずれか一方の挟持片側に位置するように該２つの補強部材用保持部を備えさせることによって、クリップを棚の上下２箇所で確実に保持させることができながらも、前記と同様に、補強部材からの下向きの荷重が両挟持片の分割部に加わり難くなるから、両挟持片が補強部材からの下向きの荷重により離れる側に操作されることを回避することができ、両挟持片が不測に離間操作されるといったトラブルのない信頼性の高いものにすることができる。
【００２０】
前記前後一対の挟持片のうちのいずれか一方を他方に比べて前後方向の寸法を大きく設定し、その大きく設定された挟持片側に前記支持部材の中心が位置するように前記前後一対の保持部を備えさせることによって、クリップ全体が大型化することを抑制しながらも、前後方向に大きな寸法に設定した保持部を備えさせた一方の挟持片が強度低下することを回避することができる。
【００２１】
前記補強部材用保持部及び保持部の上下に、これらとは寸法の異なる第２の補強部材用保持部及び第２の保持部を連続して備えさせることによって、寸法の異なる補強部材用保持部及び保持部であっても、同一のクリップにて保持することができ、製造面及び在庫管理面において有利になる。
【００２２】
前記前後一対の挟持片にて前記補強部材及び支持部材を挟持保持した状態で、該両挟持片を係止固定するべく、一方の挟持片に備えた被係止部と、他方の挟持片に備え、該被係止部に係止可能な係止部とからなる係止機構を備えさせることによって、ビス止めに比べて両挟持片の固定作業を迅速に行うことができる。
【００２３】
前記係止機構を、上下に位置する前記保持部と補強部材用保持部との間に備え、前記切欠きをクリップの上端から該補強部材用保持部までの間に備えさせることにより、該切欠きを挟んでクリップの上部を左右方向で分離された２つの左右部分を構成し、これら左右部分を接近する側へ移動させることにより、前記係止機構を係止解除可能に構成することによって、特定の線材の入り込みを許容するための切欠きを係止機構の係止解除用の隙間として利用して、係止機構を係止解除を行うことができる。
【００２４】
前記係止機構を、前後一対の挟持片のうちの一方に備えさせた被係止部と、この被係止部に左右方向から係止可能となる他方の挟持片に備えさせた係止部とからなり、前後一対の挟持片を左右方向において位置ずれした状態で重ね合わせてから、両挟持片が合致する左右一方向に一方の挟持片を移動させることにより被係止部に係止部を係止可能に構成することによって、前後一対の挟持片に下方への荷重が加わった場合でも、係止機構の係止解除方向が上下方向とは異なる左右方向となることから、係止機構が係止解除方向へ操作されることがなく、信頼性の高いものにすることができる。
【００２５】
前記前後一対の挟持片の下端に、左右方向に貫通する貫通孔を備えさせることによって、連結部とは別になる貫通孔を他のアタッチメント挿入用の孔として利用することができる。
【００２６】
前記前後一対の挟持片の下端に、該両挟持片を連結するための連結部を備えることによって、両挟持片が一体化された状態にすることができるだけでなく、両者を接近する側へ操作するだけで、両者の位置合わせを不要にしながら挟持状態にすることができる。
【００２７】
前記他のアタッチメントの上端に、前記クリップを備えたものから構成している場合には、棚へクリップを取り付けるだけで、他のアタッチメントも同時に設置完了することができ、取付作業面において有利になる。
【発明を実施するための最良の形態】
【００２８】
図１〜図３に、例えばクローゼットの左右の側壁（図示せず）間に架設される棚Ｔに、他のアタッチメントである棒状で伸縮式の支柱１が、棚用アタッチメント３を介して連結された状態を示している。前記支柱１が伸縮式であることから、支柱１の長さを調整することによって、棚Ｔと床面Ｆとの間で突っ張った状態で支柱１を立設させることができるようになっている。前記支柱１の上端には、開閉自在で、かつ、閉じ側にバネ付勢された一対の挟持部２Ａ，２Ｂからなる挟持部材２を備えさせてあり、この挟持部材２を棚用アタッチメント３に挟持保持させることで、支柱１を床面Ｆ上に立設することができるようになっている。図１では、３本の支柱１，１，１を立設させ、それら支柱１，１間に補助用の棚Ｔ１，Ｔ２，Ｔ３，Ｔ４を掛け渡しているが、補助用の棚以外のものを支柱１，１間に掛け渡す、又は単一の支柱１に直接、補助用の棚を片持ち状で備えさせる又は棚以外の他のものを備えさせてもよい。尚、前記他のアタッチメントとして、棒状の支柱１を示しているが、他の構成のものであってもよい。
【００２９】
前記棚Ｔは、前後方向に延びる断面形状円形（楕円形や多角形などでもよい）で棒状の線材４の多数を左右方向に間隔を置いて配置して構成される物品載置部５と、これら多数の線材４の少なくとも前後端に配置して該線材４を上下方向から連結する（図では下から連結しているが、上から連結してもよい）左右方向に延びる断面形状円形（楕円形や多角形などでもよい）で棒状の支持部材６と、前記支持部材６の真下となる下方箇所に該支持部材６に上下方向で連結され、左右方向に延びる補強部材７（前記支持部材６と同一のものからなっているが、異なるものであってもよい）を備えている。前記支持部材６又は補強部材７が線材４よりも大きな直径を有したものからなっているが、同一でもよいし、支持部材６又は補強部材７が線材４よりも小さな直径を有したものから構成してもよい。ここでは、支持部材６及び補強部材７を前端側しか図示していないが、後端側にも備えている。又、前後方向中間部にも棒状部材を単数又は複数設けて実施することもできる。
【００３０】
前記棚用アタッチメント３は、図４〜図７に示すように、前記棚Ｔの前端に位置する上下一対の支持部材６及び補強部材７に前後方向から挟み込んで挟持保持する前後一対の保持部８Ａ，８Ｂ及び９Ａ，９Ｂを上部に上下に間隔を置いてそれぞれ備えた前後一対の挟持片３Ａ，３Ｂを備えたクリップからなっている。前記挟持片３Ａ，３Ｂは、前後方向視において長方形状で、互いに突き合わせる端部が開放された箱型状になっており、挟持片３Ａ，３Ｂを前後方向で重ね合わせて後述する係止機構にて係止固定した状態において両者の突合せ開放端が閉じられるようになっている。以下に示す棚用アタッチメント３を構成する材料としては、合成樹脂がコスト面や加工面において有利であり、好ましいが、金属や木あるいは各種の複合材料により構成することができる。
【００３１】
前記前後一対の挟持片３Ａ，３Ｂにて前記補強部材７及び支持部材６を挟持保持した状態で、該両挟持片３Ａ，３Ｂを係止固定するべく、一方（後側）の挟持片３Ｂの左右端の上下にそれぞれ備えた左右一対の被係止部１２Ａ，１２Ｂ又は１３Ａ，１３Ｂと、他方の挟持片３Ａの左右端の上下にそれぞれ備え、該被係止部１２Ａ，１２Ｂ又は１３Ａ，１３Ｂに左右方向から係止及び係止解除可能な係止部１４Ａ，１４Ｂ又は１５Ａ，１５Ｂとからなる係止機構を備えさせている。前記被係止部１２Ａ，１２Ｂ又は１３Ａ，１３Ｂのうちの右側の被係止部１２Ｂ，１３Ｂは、一方の挟持片３Ａの右側面から左側に凹んだ凹部からなり、左側の被係止部１２Ａ，１３Ａは、一方の挟持片３Ａの左側面から左右方向に貫通する切欠きからなり、係止部１４Ａ，１４Ｂ又は１５Ａ，１５Ｂは、それら凹部１２Ｂ，１３Ｂ及び切欠き１２Ａ，１３Ａに嵌合する形状の突起からなっているが、他の構成であってもよい。
【００３２】
又、前記一方（後側）の挟持片３Ｂの上端の左右方向中央部（中央部から左右にずれた位置でもよい）に、特定の線材４の入り込みを許容するための上下方向（縦向き）の切欠き１１を備えるとともに、該挟持片３Ｂの上端に上方に突出する突起３Ｔに上方から係止可能な係止部３Ｋを他方（前側）の挟持片３Ａに備えている。
従って、図６（ａ）に示すように、一方（後側）の挟持片３Ｂをそれの切欠き１１を特定の１本の線材４に入り込ませるとともに上下の保持部８Ｂ，９Ｂに支持部材６及び補強部材７をそれぞれ入り込ませた状態で片手で位置保持した状態において、他方（前側）の挟持片３Ａを該位置保持された一方（後側）の挟持片３Ｂに対して左右方向において右側へ位置ずれした状態で後側の挟持片３Ｂの突起３Ｔに前側の挟持片３Ａの係止部３Ｋを係止してから、両者の解放端を閉じるべく、重ね合わせる（図６（ｂ）参照）。引き続き、両挟持片３Ａ，３Ｂが合致する左右一方向（図では左側）に他方（前側）の挟持片３Ａを移動させることにより一方（後側）の挟持片３Ｂの被係止部１２Ａ，１２Ｂ又は１３Ａ，１３Ｂに他方（前側）の挟持片３Ａの係止部１４Ａ，１４Ｂ又は１５Ａ，１５Ｂを係止させることによりクリップ３を棚Ｔに取付固定することができるようになっている（図６（ｃ）参照）。
前記クリップ３の下部、つまり両挟持片３Ａ，３Ｂの下部には、前記支柱１を連結するための矩形状の貫通孔１０Ａ，１０Ｂが形成されており、それら貫通孔１０Ａ，１０Ｂを介して前記支柱１の挟持部材２を連結することができるようになっている（図６（ｄ）参照）。それら１０Ａ，１０Ｂを支柱１の挟持部材２を連結するための連結部１０と称する。図５に示すように、線材４の上面４Ｂが前記切欠き１１内から上方へ突出しないと共に線材４の前端面４Ａが切欠き１１内から前方に突出しないように該切欠き１１を構成することによって、他方（前側）の挟持片３Ａを左右方向へ移動させる際に、線材４が邪魔になることがなく、スムーズな移動が行えるようになっている。
【００３３】
図５にも示すように、前記両挟持片３Ａ，３Ｂの保持部８Ａ，８Ｂ、９Ａ，９Ｂにて保持された支持部材６及び補強部材７の中心を結ぶ上下線Ｘ１がいずれか一方（図では後側）の挟持片３Ｂ側に位置するように、つまり前後一対の挟持片３Ａ，３Ｂの合わせ面３Ｈが支持部材６及び補強部材７の中心を結ぶ上下線Ｘ１から外れるように、該前後一対の保持部８Ａ，８Ｂ、９Ａ，９Ｂを備えさせている。
従って、支持部材６及び補強部材７からの下向きの荷重が両挟持片３Ａ，３Ｂの分割部（合わせ面３Ｈ）に加わり難くなるから、両挟持片３Ａ，３Ｂが支持部材６及び補強部材７からの下向きの荷重により両者が互いに離れる側に操作されることを回避することができる。前記下側に位置する保持部９Ａ，９Ｂを補強部材用保持部と称するものとする。
【００３４】
詳述すれば、前記前後一対の挟持片３Ａ，３Ｂのうちのいずれか一方（後側）の挟持片３Ｂを他方（前側）の挟持片３Ａに比べて前後方向の寸法を大きく設定し、その大きく設定された挟持片３Ｂ側に前記支持部材６及び補強部材７の中心を結ぶ上下線Ｘ１が位置するように前記２つの保持部８Ａ，８Ｂ又は９Ａ，９Ｂを備えさせており、クリップ３全体が大型化することを抑制しながらも、前後方向に大きな寸法に設定した保持部８Ａ，９Ａを備えさせた一方の挟持片３Ｂが強度低下することを回避することができるようにしているが、両挟持片３Ａ，３Ｂを同一寸法に構成してもよい。
【００３５】
前記補強部材用保持部９Ａ，９Ｂ及び保持部８Ａ，８Ｂの上下に、これらとは寸法の異なる第２の補強部材用保持部９Ｃ，９Ｄ及び第２の保持部８Ｃ，８Ｄを連続して備えさせることによって、寸法の異なる補強部材用保持部９Ｃ，９Ｄ及び保持部８Ｃ，８Ｄであっても、同一のクリップ３にて保持することができるようにしているが、第２の補強部材用保持部９Ｃ，９Ｄ及び第２の保持部８Ｃ，８Ｄは無くてもよい。図では、保持部８Ａ，８Ｂの下側に第２の保持部８Ｃ，８Ｄを備え、かつ、補強部材用保持部９Ａ，９Ｂの上側に第２の補強部材用保持部９Ｃ，９Ｄを備えさせることによって、第２の補強部材用保持部９Ｃ，９Ｄと第２の保持部８Ｃ，８Ｄとの上下間隔が、補強部材用保持部９Ａ，９Ｂと保持部８Ａ，８Ｂとの上下間隔よりも小さくなるように構成したが、補強部材用保持部９Ａ，９Ｂ及び保持部８Ａ，８Ｂの上下方向同一側に、第２の補強部材用保持部９Ｃ，９Ｄ及び第２の保持部８Ｃ，８Ｄを備えさせることによって、同一の上下間隔になるように構成してもよい。
【００３６】
前記棚用アタッチメント３は２つの分離された挟持片３Ａ，３Ｂを左右にスライドさせて両者を係止固定するようにしたが、スライドさせないで両者を係止固定する構成であってもよく、図９にその構成を示している。つまり、前記同様に前端に位置する上下に位置する支持部材６及び補強部材７に前後方向から挟み込んで挟持保持する保持部８Ａ，８Ｂ、８Ｃ，８Ｄ及び９Ａ，９Ｂ、９Ｃ，９Ｄを上部に上下に間隔を置いてそれぞれ備えた前後一対の挟持片３Ａ，３Ｂを備えたクリップからなり、それら挟持片３Ａ，３Ｂが長手方向一端同士で連結部３Ｇを介して繋がっていて、それら繋がった部分を支点として挟持片３Ａ，３Ｂを接近する側に揺動操作することができるようになっている。
前記クリップ３の下部、つまり前後一対の挟持片３Ａ，３Ｂの連結部３Ｇ付近には、前記支柱１を連結するための矩形状の貫通孔１０Ａ，１０Ｂからなる前記連結部１０を備えるとともに、前記支持部材６及び補強部材７に挟持保持させたときのクリップ３の上端、つまり両方の挟持片３Ａ，３Ｂの上端の左右中央部に、前記特定の線材４の入り込みを許容するための上下方向の切欠き１１を備え、前記両挟持片３Ａ，３Ｂの保持部８Ａ，８Ｂ、９Ａ，９Ｂにて保持された支持部材６及び補強部材７の中心を結ぶ上下線Ｘ１（図９（ｅ）参照）がいずれか一方の挟持片３Ｂ側に位置するように該前後一対の保持部８Ａ，８Ｂ、９Ａ，９Ｂを備えさせている。
従って、図１０（ａ）に示すように、一方の挟持片３Ｂをそれの切欠き１１を特定の１本の線材４に入り込ませるとともに上下の保持部８Ｂ，９Ｂに支持部材６及び補強部材７をそれぞれ入り込ませた状態で片手で位置保持した状態において、他方（前側）の挟持片３Ａを連結部３Ｇを支点にして上方へ揺動させることによって、両者を重ね合わせると同時に後述する係止機構にて該両者を係止固定することができるようにしている（図１０（ｂ）参照）。棚用アタッチメント３の装着が完了した後は、クリップの連結部１０に他のアタッチメント１の挟持部材２を直ちに連結することができるのである。そして、このとき、クリップ３の上端に備えた切欠き１１に特定の線材４が入り込むことによって、左右方向でのクリップ３の移動を阻止することができる。しかも、両挟持片３Ａ，３Ｂの保持部８Ａ，８Ｂ及び９Ａ，９Ｂにて保持された支持部材６及び補強部材７の中心線を結ぶ上下線Ｘ１がいずれか一方の挟持片３Ｂ側に位置するように、つまり両挟持片３Ａ，３Ｂの合わせ面３Ｈが他方の挟持片３Ａ側に位置するように、該上下に位置する２つの保持部８Ａ，８Ｂ及び９Ａ，９Ｂを備えさせることによって、支持部材６及び補強部材７からの下向きの荷重が両挟持片３Ａ，３Ｂの分割部（合わせ面３Ｈ）に加わり難くなるから、両挟持片３Ａ，３Ｂが支持部材６及び補強部材７からの下向きの荷重により離れる側に操作されることを回避することができる。前記下側に位置する保持部９Ａ，９Ｂを補強部材用保持部と称するものとする。
【００３７】
前記前後一対の挟持片３Ａ，３Ｂにて前記補強部材７及び支持部材６を挟持保持した状態で、該両挟持片３Ａ，３Ｂを係止固定するべく、一方の挟持片３Ｂに備えた左右一対の被係止部である爪部１６Ａ，１６Ｂと、他方の挟持片３Ａに備え、該爪部１６Ａ，１６Ｂに前後方向から係止可能な係止部である係止爪１７Ａ，１７Ｂとからなる係止機構を備えさせて、ビス止めに比べて両挟持片３Ａ，３Ｂの固定作業を迅速に行うことができる利点があるが、ビス止めであってもよい。
【００３８】
図１１（ａ），（ｂ），（ｃ）に示すように、前記係止機構を、上下に位置する前記補強部材用保持部９Ａ，９Ｂ、９Ｃ，９Ｄ及び保持部８Ａ，８Ｂ、８Ｃ，８Ｄとの間に備え、前記切欠き１１をクリップ３の上端から該補強部材用保持部９Ａ，９Ｂ、９Ｃ，９Ｄまでの間に備えさせることにより、該切欠き１１を挟んでクリップ３の上部を左右方向で分離された２つの左右部分１４，１５を構成し、係止爪１７Ａ，１７Ｂを備えた左右部分１４，１５を接近する側へ（図１１（ａ），（ｃ）に矢印で示す方向へ）移動させることにより、前記係止機構を係止解除可能に構成してもよい。
【００３９】
又、図１１（ｂ）のクリップ３を構成する前後一対の挟持片３Ａ，３Ｂの下端には、左右方向に貫通する貫通孔３Ｌを備えさせてあり、この貫通孔３Ｌをパイプや棒状体等を貫通支持する貫通孔として利用してもよい。
【００４０】
図１２に示すように、前記他のアタッチメント１の上端に備えさせた前記挟持部材２を構成する前後一対の挟持部２Ａ，２Ｂの挟持面の上下部位に、支持部材６及び補強部材７を挟み込んで挟持固定するための円弧部２ａ，２ｂをそれぞれ備えさせるとともに、一方の挟持部２Ａの上下の円弧部２ａ，２ａ間に、支持部材６と補強部材７との間に入り込んで上下方向の位置決めを行うために他方のの挟持部２Ｂに形成の凹部２ｄ側、ここでは後方側に突出する突起部２ｃを備えさせている。このように構成することによって、部品点数の削減化及び組み立て作業の容易化を図れるようにしてもよい。尚、前記支柱１の上端に固定された固定側の挟持部２Ｂに対して可動側の挟持部２Ａを水平軸芯Ｚ周りで揺動自在に取付けるとともに図示していないバネにより挟持部２Ａに接近する側に揺動付勢されている。そして、図の矢印に可動側の挟持部２Ａをバネの付勢力に抗して揺動操作することにより、固定側の挟持部２Ｂに対して可動側の挟持部２Ａを離間させて棚Ｔへの固定を解除できるようにしている。
【００４１】
また、前記クリップ３を、図１３（ａ），（ｂ）に示す構成であってもよい。つまり、前記支持部材６と補強部材７との間に渡る縦寸法を有する横長状となる矩形状で板状の一対の挟持部材２１，２２と、これら挟持部材２１，２２間の距離を変更するためのねじ部材２３と、前記支柱１が嵌合固定されるとともに前記ねじ部材２３のねじ部２３Ａがねじ込まれるねじ孔を備えた前記一方の及び挟持部材２２に一体化されたジョイント部材２４とから、クリップ３を構成している。図１３では、支持部材６の真下に補強部材７を配置した状態でクリップ３を装着しているが、前記ジョイント部材２４を、前記支柱１の上端に連結される固定側部材２４Ｂに対して、前記支持部材２２側に連結される可動側部材２４Ａを水平軸芯Ｙ周りで揺動自在に構成しておけば、支持部材６の下方側で前方側又は後方側に位置する状態で補強部材７が配置された場合でも、クリップ３を装着することができる利点がある。
【図面の簡単な説明】
【００４２】
【図１】左右の壁面間に架設された棚にクリップを介して支柱を立設した状態を示す正面図である。
【図２】図１を横から見た側面図である。
【図３】図１を上から見た要部の平面図である。
【図４】クリップを示し、（ａ）は棚に装着する直前の状態を示す斜視図、（ｂ）はクリップ自体の分解斜視である。
【図５】棚にクリップを装着した状態を示す縦断側面図である。
【図６】棚にクリップを装着する工程を示す斜視図であり、（ａ）は後側の挟持片に対して前側の挟持片の上端を係止した状態を示し、（ｂ）は後側の挟持片に対して前側の挟持片を左右方向で位置ずれした状態で重ね合わせた状態を示し、（ｃ）は後側の挟持片に対して前側の挟持片を左右方向に移動させて両者を係止固定した状態を示し、（ｄ）は支柱をクリップに連結した状態を示している。
【図７】後側の挟持片を示し、（ａ）はそれの右側面図、（ｂ）はそれの背面図、（ｃ）は左側面図、（ｄ）は（ｂ）におけるＡ−Ａ線断面図、（ｅ）それの正面図、（ｆ）は（ｂ）におけるＢ−Ｂ線断面図である。
【図８】前側の挟持片を示し、（ａ）はそれの右側面図、（ｂ）はそれの背面図、（ｃ）は左側面図、（ｄ）は（ｂ）におけるＣ−Ｃ線断面図、（ｅ）それの正面図、（ｅ）それの正面図、（ｆ）は（ｂ）におけるＤ−Ｄ線断面図である。
【図９】第２のクリップを示し、（ａ）はそれの展開正面図、（ｂ）はそれの展開側面図、（ｃ）はそれの展開背面図、（ｄ）は（ｃ）におけるＥ−Ｅ線断面図、（ｅ）は２つの挟持片を合体させてクリップを構成した状態の側面図、（ｆ）は（ｅ）におけるＨ−Ｈ線断面図、（ｇ）は（ｄ）におけるＦ−Ｆ線断面図、（ｈ）は（ｄ）におけるＧ−Ｇ線断面図である。
【図１０】第２のクリップを棚に装着する工程を示した斜視図であり、（ａ）は後側の挟持片を棚にセットした状態を示し、（ｂ）は後側の挟持片に対して前側の後側の挟持片を閉じることにより両者を係止固定した状態を示し、（ｃ）は支柱を第２のクリップに連結した状態を示している。
【図１１】第３のクリップを示し、（ａ）はそれの展開正面図、（ｂ）は２つの挟持片を合体させてクリップを構成した状態の側面図、（ｃ）は２つの挟持片を合体させてクリップを構成した状態の正面図である。
【図１２】第４のクリップを棚に装着した状態を示す斜視図である。
【図１３】第５のクリップを棚に装着した状態を示し、（ａ）はそれの縦断側面図、（ｂ）はそれの斜視図である。
【符号の説明】
【００４３】
１…支柱（他のアタッチメント）、２…挟持部材、２Ａ，２Ｂ…挟持部、２ａ…円弧部、２ｃ…突起部、２ｄ…凹部、３…棚用アタッチメント（クリップ）、３Ａ，３Ｂ…挟持片、３Ｇ…連結部、３Ｈ…合わせ面、３Ｋ…係止部、３Ｌ…貫通孔、３Ｔ…突起、４…線材、４Ａ…前端面、４Ｂ…上面、５…物品載置部、６…支持部材、７…補強部材、８Ａ，８Ｂ，９Ａ，９Ｂ…保持部、８Ｃ，８Ｄ，９Ｃ，９Ｄ…補強部材用保持部、１０…連結部、１０Ａ，１０Ｂ…貫通孔、１１…切欠き、１２Ａ，１２Ｂ，１３Ａ，１３Ｂ…被係止部、１４，１５…左右部分、１４Ａ，１４Ｂ…係止部、１６Ａ，１６Ｂ…爪部、１７Ａ，１７Ｂ…係止爪、２１，２２…挟持部材、２３…ねじ部材、２３Ａ…ねじ部、２４…ジョイント部材、２４Ａ…可動側部材、２４Ｂ…固定側部材、Ｆ…床面、Ｔ，Ｔ１〜Ｔ４…棚、Ｘ１…上下線、Ｙ，Ｚ…水平軸芯
【図１】
2008173165.tif 000003
【図２】
2008173165.tif 000004
【図３】
2008173165.tif 000005
【図４】
2008173165.tif 000006
【図５】
2008173165.tif 000007
【図６】
2008173165.tif 000008
【図７】
2008173165.tif 000009
【図８】
2008173165.tif 000010
【図９】
2008173165.tif 000011
【図１０】
2008173165.tif 000012
【図１１】
2008173165.tif 000013
【図１２】
2008173165.tif 000014
【図１３】
2008173165.tif 000015